(57)【要約】【課題】  任意の位置でスラットの傾斜角度を調整できる布製ブラインドを提供する。【解決手段】  横フレーム１０は、窓の最上縁部に固定される。上端巻取りドラム２０は、横フレーム１０内に横向きに装着される。調整機構５０は、上端巻取りドラム２０の下方で横フレーム１０中に装着される制御軸５１及びその最上端が制御軸５１の上に連結される二つの連接コードセット５２を有する。若干のスラット４０は、制御軸５１の下方に配列され、かつその向かい合う両側により二つの連接コードセット５２を連結する。ボトムレール装置３０は、スラット４０の下方に位置付けされ、かつ二つの連接コードセット５２の底端により連結される。掛け布６０は、一端が横フレーム１０上に連結され、下を向いてボトムレール装置３０を回り、そののち上を向くように折り返され、他端により上端巻取りドラム２０中に連結される。【選択図】    図４
2005248672.tif 000002
【特許請求の範囲】
【請求項１】
窓の最上縁部に横向きに固定される横フレームと、
横フレーム内に横向きに装着され、同じ場所で回転するように制御される上端巻取りドラムと、
上端巻取りドラムの下方に位置するように横フレーム中に装着される制御軸及びその最上端が制御軸の上に連結される二つの連接コードセットを有し、二つの連接コードセットが制御軸から縦方向に垂れ下がる調整機構と、
制御軸の下方に配列され、かつその向かい合う両側により二つの連接コードセットを連結する若干のスラットと、
スラットの下方に位置付けされ、かつ二つの連接コードセットの底端により連結されるボトムレール装置と、
適度な透光性を有し、その一端が横フレーム上に連結され、下を向いてボトムレール装置を回り、そののち上を向くように折り返され、他端により上端巻取りドラム中に連結される掛け布と、
を備えることを特徴とする布製ブラインド。
【請求項２】
ボトムレール装置は、掛け布を押さえることを特徴とする請求項１に記載の布製ブラインド。
【請求項３】
横フレームの内部は、一定容積の収納空間を形成することで、上端巻取りドラム及び制御軸を収納空間の中に装着し、横フレームの底部は収納空間と繋がる開口を形成することで、掛け布と連接コードセットを貫通させることを特徴とする請求項１に記載の布製ブラインド。
【請求項４】
横フレーム内に装着され、かつ上端巻取りドラムの回転方向を制限する逆戻り止め機構を有することを特徴とする請求項１に記載の布製ブラインド。
【請求項５】
逆戻り止め機構は、一端が横フレーム内の最上部の一箇所に連接され、他端が係止部を形成し、上端巻取りドラムは周囲面の一箇所に係止溝を形成することで、係止部を係止溝に嵌め込む場合、上端巻取りドラムを単一方向に回転させるように制限可能であることを特徴とする請求項４に記載の布製ブラインド。
【請求項６】
逆戻り止め機構は、所定の弾性を有するピンであることを特徴する請求項５に記載の布製ブラインド。
【請求項７】
係止部は、所定の角度で折り曲げられて形成されることを特徴とする請求項５に記載の布製ブラインド。
【請求項８】
逆戻り止め機構と横フレームとの間は、緩やかに連接されることで、逆戻り止め機構が外力または自重によりやや上下を移動可能であることを特徴とする請求項４に記載の布製ブラインド。
【請求項９】
ボトムレール装置は、下端巻取りドラムであることを特徴とする請求項１に記載の布製ブラインド。
【請求項１０】
二つの端部嵌合ユニットを有し、端部嵌合ユニットは下端巻取りドラムの一端面が接合する接合部と、接合部の外端に連結される間隔保持部とを有し、間隔保持部の外径は下端巻取りドラムの外径より大きいことを特徴とする請求項９に記載の布製ブラインド。
【請求項１１】
下端巻取りドラムは、中空状を呈し、端部嵌合ユニットの接合部は下端巻取りドラムの一端面を嵌めて接合することを特徴とする請求項１０に記載の布製ブラインド。
【請求項１２】
スラットは、軟質布材で、その向かい合う二つの長辺が支持棒を包むことで、スラットが長軸を上向きに平坦に維持でき、短軸が湾曲を形成することを特徴とする請求項１に記載の布製ブラインド。
【請求項１３】
制御軸は、一端が横フレームの側部外に露出することで、使用者から制御されることを特徴とする請求項１に記載の布製ブラインド。
【請求項１４】
スラットは、一定の間隔で配列され、その相隣する二つのスラットの間隔がスラットの短辺の長さより小さいことを特徴とする請求項１に記載の布製ブラインド。
【請求項１５】
ボトムレール装置は、下端巻取りドラム及び下端巻取りドラムの二端に設置される端部嵌合ユニットを有し、端部嵌合ユニットの外径が下端巻取りドラムの外径より大きく、掛け布はボトムレール装置の湾曲部分の左右二側を回り、下端巻取りドラムと二つの端部嵌合ユニットとの間を介することを特徴とする請求項１に記載の布製ブラインド。
【請求項１６】
上端巻取りドラムに連結され、かつ使用者の制御により上端巻取りドラムを駆動して回転または停止させ、位置決めする昇降機構を有することを特徴とする請求項１に記載の布製ブラインド。
【請求項１７】
下端巻取りドラムは、適当な重量を有し、掛け布は下端巻取りドラムから押さえられ、かつ押さえられた所に摩擦力が発生することで、掛け布を巻き取る時に、摩擦力により下端巻取りドラムを駆動して回転可能であることを特徴とする請求項９に記載の布製ブラインド。
【請求項１８】
掛け布は、長軸方向に従って半分分けた面積中の透過度が異なることを特徴とする請求項１に記載の布製ブラインド。
【請求項１９】
ボトムレール装置は、矩形の収束棒を有し、掛け布を上端巻取りドラムにより巻き取る場合、収束棒を上へ移動させることで、スラットを収束棒の最上面に積み重ねて収納可能であり、また、掛け布を上端巻取りドラムにより緩める場合、収束棒を下へ移動させることで、スラットを収束棒の最上面から離せることを特徴とする請求項１に記載の布製ブラインド。
【請求項２０】
窓の最上縁部に固定される横フレームと、
横フレーム内に装着される上端巻取りドラムと、その二端がそれぞれ上端巻取りドラムの一側及び横フレームの一側に連結される掛け布とを有し、上端巻取りドラムが外力の作用により掛け布を巻き取るかまたは緩めて回転させる掛け布制御システムと、
上端巻取りドラムの下方に位置し、かつ垂直の重量で掛け布を押さえるボトムレール装置と、上端巻取りドラムとボトムレール装置との間に配列される若干のスラットと、各スラットを上端巻取りドラムとボトムレール装置との間で支持する調整機構とを有し、掛け布を巻き取るかまたは緩めることにより、ボトムレール装置により各スラットを収納するかまたは緩めるスラット制御システムと、
を備えることを特徴とする布製ブラインド。
【請求項２１】
掛け布制御システムは、上端巻取りドラムと連結する昇降機構を有することで、使用者の制御により上端巻取りドラムを駆動して回転させるかまたは停止させて位置決めすることを特徴とする請求項２０に記載の布製ブラインド。
【請求項２２】
ボトムレール装置は、円筒状の下端巻取りドラムを有し、掛け布を上端巻取りドラムにより巻き取る場合、下端巻取りドラムを上へ移動させると同時に所定の方向に回転させることで、スラットを下端巻取りドラムの周囲面の上に巻取り可能であり、また、掛け布を上端巻取りドラムにより緩める場合、下端巻取りドラムを下へ移動させると同時に反対の方向に回転させることで、スラットを下端巻取りドラムから離せることを特徴とする請求項２０に記載の布製ブラインド。
【請求項２３】
ボトムレール装置は、矩形の収束棒を有し、掛け布を上端巻取りドラムにより巻き取る場合、収束棒を上へ移動させることで、スラットを収束棒の最上面に積み重ねて収納可能であり、また、掛け布を上端巻取りドラムにより緩める場合、収束棒を下へ移動させることで、スラットを収束棒の最上面から離せることを特徴とする請求項２０に記載の布製ブラインド。
【請求項２４】
調整機構は、上端巻取りドラムとスラットとの間に位置するように横フレーム中に装着される制御軸及び二つの連接コードセットを有し、各連接コードセットはスラットの向かい合う両側の縁部上に縦方向で連結され、かつその最上端及び底両端がそれぞれ制御軸及びボトムレール装置に連結されることを特徴とする請求項２０に記載の布製ブラインド。
【発明の詳細な説明】
【技術分野】
【０００１】
本発明は、二重の掛け布を有するロールスクリーンに関し、詳しく言えば、布製ブラインドに関するものである。
【背景技術】
【０００２】
図１及び図２に示すのは、周知のブラインド１が完全に伸展される状態または巻き上げられる状態を示す側面図であり、ブラインド１では、長い形の巻取りドラム２は窓の最上縁部に横向きに装着され、かつ使用者からの手動または電動の方法により制御されて回転され、下端横棒３は巻取りドラム２の下方に位置付けされ、若干の軟質スラット４は巻取りドラム２と下端横棒３との間に配列され、かつ軟質スラット４の二つの長辺においてそれぞれ支持棒５を包み、支持棒５により軟質スラット４の長軸方向を平坦に維持し、左右の二つの連接コード６はそれぞれスラット４前縁部及び後縁部に縦方向で連接される前コード７及び後コード８を有し、そのうちの前コード７及び後コード８の最上と底の二端がそれぞれ巻取りドラム２及び下端横棒３に連結され、二つの掛け布９は適度な透光性（例えば、レースを使用する場合）を有し、それぞれスラット４の前方及び後方に位置付けされ、かつ長さと幅がほぼ窓の寸法に対応する矩形を呈し、その最上縁部が巻取りドラム２に連結され、その底縁部が下端横棒３に連結される。
【０００３】
二つの掛け布９により見えそうで見えないようにスラット４の前後二側を被覆することで、伝統的なブラインド（またはロールスクリーン）と異なる光ろ過及び遮蔽という効果が生じるだけでなく、室内に上品で繊細な雰囲気をかもし出すことができる。使用する際に、使用者はブラインド１を完全に伸展した上で、巻取りドラム２を駆動して少々回転させ、前コード７及び後コード８を縦方向に沿って相対的にずらす（即ち、一つは上へ、一つは下へ移動する）ことにより、スラット４を傾斜させ、透光度及び遮蔽度を変える。また、図２に示すように、巻取りドラム２を駆動して持続的に回転させ、支持棒５及び掛け布９とともに軟質スラット４を巻取りドラム２の一端（巻取りドラムの回転方向により決まる）から巻取りドラムの周囲面に巻き取ることで、ブラインドを窓の最上縁部に完全に巻き取ったり、途中で位置決めして窓の上部を遮蔽したりすることができる。
【０００４】
前述のブラインド１は、実に使用されてみると、多くの欠点があって、改善の余地があると見受けられる。一つは、巻取りドラム２によりスラット４と、支持棒５と、連接コードセット６と、掛け布９とを一緒に巻取りドラムの周囲面の上に巻き取る場合、巻き取った後の体積が増加する。なお且つ窓の最上縁部に横フレーム（図中未表示）を設置し、そののち巻取りドラム２を横フレーム中に装着することは普通であるが、巻取りドラム２上に巻き取られたスラット４と、支持棒５と、連接コードセット６と、掛け布９とを横フレーム中に確実に収納するために、横フレームの体積（即ち、横フレーム前後側の長さ）を相当に大きくしないと、十分な収納空間を提供できず、そのため、体積の大きい横フレームは美観を損なうようになる。もう一つは、巻取りドラム２により掛け布９と、前コード７と、支持棒５と、スラット４と、後コード８と、もう一枚の掛け布とを順番に積み重ねる方法で巻取りドラムの周囲面の上に巻き取る場合、掛け布９は前コードセット７、後コードセット８及び支持棒５の外郭により押さえられ、痕跡が生じ、また、ブラインド１を完全に伸展したら、掛け布９は押さえられた痕跡のせいで、全体の美観が損なわれる。また、スラット４を制御（駆動）して傾斜させる連接コードセット６は巻取りドラム２上に固定されるため、ブラインド１が完全に進展される場合、やや巻取りドラム２を回転させ、スラット４の傾斜角度を制御できるが、ブラインド１が途中までしか巻き取られない場合、スラット４の傾斜角度（この場合、スラット４が必ず直立の状態を呈する）を調整できない。したがって、スラット付きのロールスクリーンとして、スラット４により遮蔽または光線透過を変えるという効果がなくなる。
【発明の開示】
【発明が解決しようとする課題】
【０００５】
本発明の主な目的は、巻取りドラムの装着に用いられる横フレームの体積を減少させる布製ブラインドを提供することにある。
本発明のもう一つの目的は、掛け布を巻き取っても痕跡が生じない布製ブラインドを提供することにある。
本発明のもう一つの目的は、任意の位置でスラットの傾斜角度を調整できる布製ブラインドを提供することにある。
【課題を解決するための手段】
【０００６】
上述の目的を達成するために、本発明による布製ブラインドは、横フレームと、上端巻取りドラムと、調整機構と、若干のスラットと、ボトムレール装置と、掛け布とを備えるものである。横フレームは、窓の最上縁部に横向きに固定される。上端巻取りドラムは、横フレーム内に横向きに装着され、同じ場所で回転するように制御される。調整機構は、上端巻取りドラムの下方に位置するように横フレーム中に装着される制御軸及びその最上端が制御軸の上に連結される二つの連接コードセットを有し、二つの連接コードセットが制御軸から縦方向に垂れ下がれる。若干のスラットは、制御軸の下方に配列され、かつその向かい合う両側により二つの連接コードセットを連結する。ボトムレール装置は、スラットの下方に位置付けされ、かつ二つの連接コードセットの底端により連結される。掛け布は、適度な透光性を有し、その一端が横フレーム上に連結され、下を向いてボトムレール装置を回り、そののち上を向くように折り返され、他端により上端巻取りドラム中に連結される。
【発明を実施するための最良の形態】
【０００７】
以下、本発明の実施例を図面に基づいて説明する。
図３から図７に示すように、本発明の一実施例による布製ブラインド１００は、横フレーム１０と、上端巻取りドラム２０と、ボトムレール装置３０と、若干のスラット４０と、調整機構５０と、掛け布６０と、昇降機構７０と、逆戻り止め機構８０とを備える。
【０００８】
横フレーム１０は、長い形のフレームで、窓の最上縁部に固定される。かつ横フレーム１０の内部は一定容積の収納空間１１１を形成し、横フレーム１０の底部は収納空間１１１と繋がる開口１１２を形成する。
【０００９】
逆戻り止め機構８０は、所定の弾性を有するピン（本実施例では、金属ピン使用）であり、その一端が所定の角度で折り曲がる係止部８１を形成し、他端が横フレーム１０の収納空間１１１最上部の一箇所に連接される。かつ逆戻り止め機構８０と横フレーム１０との間が緩やかに連接される（固定されない）ため、逆戻り止め機構８０は外力または自重によりやや上下を移動できる効果を有する。
【００１０】
上端巻取りドラム２０は、長い形の円筒状を呈し、横フレーム１０の収納空間１１１内に横向きに装着され、かつ上端巻取りドラム２０の表面の一箇所、即ち、逆戻り止め機構８０の係止部８１に対応するところに係止溝２１を形成する。
【００１１】
調整機構５０は、制御軸５１、調整棒５３及び二つの連接コードセット５２を有する。そのうちの制御軸５１は、横フレーム１０の収納空間１１１中に横向きに装着され、かつ上端巻取りドラム２０の下方に平行するように位置付けられ、その一端が横フレーム１０の側部で露出する。調整棒５３がウォームギヤのウォーム機構により横フレーム１０外に露出する制御軸５１の端部上に連結されることで、使用者は制御軸５１を同じ場所で回転させるように制御できる。また、制御軸５１を回転させる方法は、制御軸５１とともに連動するコード機構を設置し、コードを引っ張って制御軸５１を駆動するか、または、制御軸５１とともに連動する電動機構を設置し、電気コードまたはリモコンを介して制御軸５１を制御して回転させるかのいずれか一つでもよい。しかし、前述の方法は、従来の技術であって、本発明の請求範囲に含まれないため、詳しい説明を省く。また、二つの連接コードセット５２は制御軸５１の左右二側の相対的な箇所に設置され、各連接コードセット５２は前コード５２１及び後コード５２２を有し、前コード５２１及び後コード５２２は縦方向に沿って延伸し、前後が相対し、長さが窓の縦の長さにほぼ等しく、最上端部が制御軸５１の周囲面の両側に連結され、底端部が制御軸５１から下へ垂れ下がる。
【００１２】
若干のスラット４０は、軟質布材から構成され、面積が細長い矩形を呈する。各スラット４０は、調整機構５０の制御軸５１の下方に配列され、かつ平行する。各スラット４０の向かい合う二つの長辺で支持棒４１を包むことにより、スラット４０は長軸を上向きに平坦に維持できる。言い換えれば、各スラット４０は、短軸に湾曲を形成することができる。また、調整機構５０中の二つの連接コードセット５２の前コード５２１及び後コード５２２は、スラット４０の前縁部及び後縁部に一定の間隔で別々に連接される（本実施例では、前コード５２１及び後コードはスラット４０の前後二側の支持棒４１の上に縛られても、スラット４０の前後二側の縁部上に直接に縛られてもよいが、それらは従来の技術であるため、詳しい説明を省く）。二つの連接コードセット５２の縦方向連接により、スラット４０は、所定の位置関係で制御軸５１の下方に垂れ下がるようになる。また、図５に示すように、スラット４０は一定の間隔で配列され、その相隣する二つのスラット４０の間隔（即ち、二つのスラット４０間の前コード５２１及び後コード５２２の長さ）はスラット４０の短辺の長さより小さい。
【００１３】
ボトムレール装置３０は、中空円状の下端巻取りドラム３１及び二つの端部嵌合ユニット３２を有する。下端巻取りドラム３１は、スラット４０の下方に平行するように位置付けされ、重量を有する（本実施例では、中空状の金属材料から構成されるため）。端部嵌合ユニット３２は、下端巻取りドラム３１の二端を連接するものである。図３及び図４に示すように、端部嵌合ユニット３２は、下端巻取りドラム３１の一端面を嵌め、下端巻取りドラム３１内部を接合する接合部３２１と、接合部３２１の外端に連結される間隔保持部３２２とを有し、かつ間隔保持部３２２の外径が下端巻取りドラム３１の外径より大きい。調整機構５０の二つの連接コードセット５２の底端部は、下端巻取りドラム３１の周囲面に連接される。
【００１４】
掛け布６０は、材質がレース類で、適度な透光性を有する。掛け布６０は、面積が矩形を呈し、長さが窓の縦の長さの二倍で、幅が窓の横幅にほぼ等しい。掛け布６０は、長軸方向に従って半分分けて、透光度が異なる区域（透光度は織り方または織糸の緊密な程度により異なる）を形成する。また、掛け布６０は、長軸方向に従って半分分けた約半分面積（即ち、窓の寸法に対応する面積）がスラット４０前方（透光性に優れた半分面積）に位置付けられる。掛け布６０は、ほぼ中央部位がボトムレール装置３０の底部を回り、かつその曲がって回る部分の左右二側が図４に示すように下端巻取りドラム３１と二つの端部嵌合ユニット３２との間を介する。掛け布６０のほかの半分面積は、スラット４０の後方（遮蔽性に優れた半分面積）に位置付けられる。そして、図５に示すように、掛け布６０の前方の最上縁部は上端巻取りドラム２０に周囲面の一側に連結され、掛け布６０の後方の最上縁部は横フレーム１０の収納空間１１１内の最上縁部に連結される。また、掛け布６０の長さが連接コードセット５２の長さに対応することで、下端巻取りドラム３０により掛け布６０の最底端（即ち掛け布６０中央の曲がる部分の内面）を押さえ、掛け布６０の前後二側を縦方向に沿って平坦に伸張することができると同時に、掛け布６０の前後面積により異なる透光性が発生し、惑光を低減させる効果が生じる。
【００１５】
昇降機構７０は、上端巻取りドラム２０に連結され、かつ使用者の制御により上端巻取りドラム２０を駆動して回転または停止させ、位置決めするものである。本実施例では、昇降機構７０は、玉チェーンによる収束機構であって、垂直の玉チェーンを引っ張って上端巻取りドラム２０を駆動して回転させ、任意の位置で止め、上端巻取りドラム２０を位置決めすることが可能である。また、昇降機構７０は、上端巻取りドラム２０とともに連動するコード機構にしてもよく、コードを引っ張ることにより、上端巻取りドラム２０を駆動でき、または、上端巻取りドラム２０とともに連動する電動機構にしてもよく、電気コードまたはリモコンを介して上端巻取りドラム２０を制御して回転させることができる。しかし、前述の方法は、従来の技術で、本発明の請求範囲に含まれないため、詳しい説明を省く。
【００１６】
以上は、本発明の一実施例により提供される布製ブラインド１００の主なユニット及び装着方式についての説明であった。続いて、使用方法について説明する。
図５に示すように、布製ブラインド１００が完全に伸展される場合、横フレーム１０中に位置する逆戻り止め機構８０は自重によりやや下へ移動し、係止部８１を上端巻取りドラム２０の係止溝２１中に入らせ、かつ逆戻り止め機構８０と横フレーム１０との枢接点が上端巻取りドラム２０の軸心垂直線の前方にやや傾き（図５では、右方に少々傾き）、係止部８１の位置が上端巻取りドラム２０の軸心垂直線の後方にやや傾く（図５では、左方にやや傾く）。つまり、逆戻り止め機構８０と横フレーム１０との枢接点は掛け布６０と上端巻取りドラム２０とを連結する側にやや傾き、係止部８１の位置は掛け布６０と横フレーム１０とを連結する側にやや傾く。それは、本実施例により提供される実施例状態である。実際に、上端巻取りドラム２０の係止溝２１に嵌合することができれば、逆戻り止め機構は任意の位置に装着してもよい。係止部８１が係止溝２１中に嵌合される場合、上端巻取りドラム２０は、掛け布６０との連結方向に回転することが阻止され（掛け布６０が上端巻取りドラム２０の下方から巻き取られることを避けることができ）、掛け布６０と横フレーム１０との連結方向を回転するしかない（掛け布６０は上端巻取りドラム２０の上方から巻き取るしかない）。
【００１７】
使用者は、昇降機構７０により完全に伸展されたブラインドを巻き上げようとする場合、昇降機構７０により上端巻取りドラム２０を連動させ、上端巻取りドラム２０を回転させ（図６では、左方へ回転させ）、その一端が上端巻取りドラム２０に連結される掛け布６０を図６に示すように上端巻取りドラム２０の周囲面に巻取り、上端巻取りドラム２０により掛け布６０の一端を持続的に巻き取るとともに、下端巻取りドラム３１は自重により掛け布６０を押さえ、下端巻取りドラム３１は掛け布６０との間の摩擦力により掛け布６０とともに連動して同じ方向に回転し、徐々に上へ移動することができる。そして、下端巻取りドラム３１に連接される連接コードセット５２は下端巻取りドラム３１に伴って回転し、徐々に下端巻取りドラム３１の周囲面に巻き取られ、各スラット４０が支持棒４１とともに下端巻取りドラム３１に巻き取られる。また、掛け布６０を上端巻取りドラム２０の周囲面に持続的に巻き取る場合、連接コードセット５２と、スラット４０と、支持棒４１とは、下端巻取りドラム３１の周囲面に持続的に巻き取られる。そうすると、巻き取るべきユニットを上端巻取りドラム２０及びボトムレール装置３０から別々に巻き取り、単一巻取りドラムにより巻取るのに必要な水平空間（横フレームの水平方向の幅）を減少させることができるだけでなく、掛け布６０と、連接コードセット５２と、支持棒４１とを別々に巻き取ることにより、掛け布６０は連接コードセット５２及び支持棒により押さえられ、痕跡が生じることはなく、掛け布６０を平坦に維持できる。
【００１８】
昇降機構７０に即時位置決めをする効果があるため、布製ブラインド１００は、任意の位置に定位しても自ら落ちる恐れがない。完全に巻き取られたかまたは任意の位置に定位された布製ブラインド１００を緩めようとする場合、昇降機構７０の制御により上端巻取りドラム２０を駆動して回転させ（図５では、右へ回転させ）、上端巻取りドラム２０の周囲面に少なくとも一層の掛け布６０を取巻き、係止溝２１の開口を閉じれば、逆戻り止め機構８０の係止部８１を係止溝２１に進入させる恐れがなく、上端巻取りドラム２０をスムーズに回転させ、上端巻取りドラム２０の周囲面に巻き取られた掛け布６０を徐々に垂れ下げ、掛け布６０の曲がっている部位に位置する下端巻取りドラム３１を掛け布６０との間の摩擦力により右へ回転させ、また、掛け布６０が垂れ下がるのに伴って下端巻取りドラム３１が下へ移動すると同時にスラット４０及び連接コードセット５２を徐々に緩める。そして、掛け布６０が完全に伸展される場合、上端巻取りドラム２０の周囲面には掛け布６０がなく、係止溝２１の開口が露出し、係止溝２１を係止部８１の下方に回転させる場合、係止部８１が係止溝２１中に進入して嵌合され、上端巻取りドラム２０が回転できなくなる。そうすると、掛け布６０は完全に伸展した状態に達すると判明される。
【００１９】
スラット４０の水平傾斜角度を調整しようとする場合、調整機構５０の調整棒５３の制御により制御軸５１を駆動して回転させるとともに、制御軸５１上に固定される連接コードセット５２を駆動して適当に移動させる（図７に示すように、前コード５２１及び後コード５２２を別々に上下に相対的に移動させる）。また、スラット４０と連接コードセット５２と掛け布６０との間には直接連結の関係がない（スラット４０と連結コードセット５２が制御軸５１上に連接されるのに対し、掛け布６０が上端巻取りドラム２０上に連接される）ため、掛け布６０が完全に伸展されたとしても、途中の任意の位置に定位したとしても、制御軸５１の回転により巻き取られていないスラット４０の移動を直接制御できる。したがって、ブラインド１００は適度な透光性を有する平坦な掛け布６０により視覚効果を増すことができるだけでなく、スラット４０の傾斜角度を独立調整する機能により必要に応じて光線透過及び遮蔽の程度を調整できる。
【００２０】
補充説明すべきなのは、前述の実施例では、ボトムレール装置３０の下端巻取りドラム３１の二端に外径が比較的大きい端部嵌合ユニット３２を設置し、掛け布６０の曲がっている側を端部嵌合ユニット３２により制限することで、掛け布６０と下端巻取りドラム３１との間の相対的な位置関係を維持し（即ち、下端巻取りドラム３１が掛け布６０の外に出ることを避ける）、掛け布６０を巻き取ったり、緩めたりする動作をスムーズに維持し、平坦に保持することができるということである。
【００２１】
また、前述の実施例では、ボトムレール装置３０は、中空状の下端巻取りドラム３１及び下端巻取りドラム３１の端面を接合する二つの端部嵌合ユニット３２から構成される。実際に、下端巻取りドラムと端部嵌合ユニットは一体成型し、かつちょっと重さがあるプラスチックの円筒から構成してもよい。すると、装着のプロセスを省略できるだけでなく、同等な効果を有する。
【００２２】
また、前述の実施例では、掛け布６０は、その一端が横フレーム１０の収納空間１１１中に連接され、他端が上端巻取りドラム２０上に連結される。しかし、掛け布６０の一端を横フレーム１０の相対的な外側に連接し、他端を上端巻取りドラム２０上に連結してもよい。言い換えれば、掛け布の両端を別々に上端巻取りドラム及び横フレーム上の任意の位置に連結すればいい。
【００２３】
続いて、掛け布６０は、半分面積の透光性が異なるため、装着する場合、透光性に優れた半分面積を室内に向く方向に位置付けし、ほかの（遮蔽性に優れた）半分面積を室外に向く方向に位置付けすることで、室外の光線は先に遮蔽性に優れた半分面積を透過し、そののちほかの半分面積を透過し、室内に照り込む。したがって、室内に照り込んだ光線は、人間の目に惑光を生じることはしない。
【００２４】
言い換えれば、本実施例による上端巻取りドラム２０と、掛け布と、昇降機構７０とは、一つの掛け布制御システムとして考えてもよい。つまり、掛け布制御システムにより掛け布の遮蔽面積を変える効果を達成できるものである。ボトムレール装置３０と、スラット４０と、調整機構５０とは、一つのスラット制御システムとして考えてよい。つまり、スラット制御システムによりスラットの角度を変えたり、スラットを収束したりする効果を達成できるものである。また、図８から図９に示すように、本発明の他の実施例による布製ブラインドのボトムレール装置は、収束棒３１’にしてもよい。収束棒３１’は長方形のフレームとなり、収束棒３１’の重さが比較的軽い（または、図９に示すように、収束棒の底部二側の縁部が別々に円弧の曲線を形成する）ため、掛け布６０’と収束棒３１’との間の摩擦力が比較的小さくなる。そうすると、掛け布６０’を上昇または降下させる場合、収束棒３１’は掛け布６０’に伴って連動して回転し難く、掛け布６０’を上昇または降下させる場合、収束棒３１’は掛け布６０’の上昇（巻き上げる）または降下（緩める）により連動し、かつ（回転する必要がなく）上または下へ移動するだけである。掛け布６０’を上昇させる場合、スラット４０’は収束棒３１’の上へ移動する作用により下方に位置するスラット４０’が徐々に収束棒３１’の最上面に積み重ねされ、掛け布６０’を降下させる場合、スラット４０’は収束棒３１’の下へ移動する作用により上方に位置するスラット４０’が徐々に収束棒３１’から解放されて伸張していく。そうすると、前述の下端巻取りドラム３１と収束棒３１’とは形態が異なり、スラット４０’の収納（または解放）方法も異なる（下端巻取りドラムは巻き取る方法であり、収束棒は積み重ねる方法である）が、遂げる効果は同じである。
【００２５】
また、特に説明すべきなのは、前述の実施例では、掛け布システム（掛け布、上端巻取りドラム及び昇降機構）とスラット制御システム（スラット、収束棒（または下端巻取りドラム）及び調整機構）とが別々制御と操作ができる二組のシステム機構だということである。但し、掛け布制御システムとスラット制御システムとは整合し、直接または間接の方法でそのうちの一組のシステム上に結合しても、別の整合制御システム上に結合してもよい。したがって、掛け布制御システムとスラット制御システムを単一（同一）制御システムにより制御することができるだけでなく、制御上の便利性及びユニット全体の簡潔さを増加させる。
【図面の簡単な説明】
【００２６】
【図１】従来のブラインドの完全に伸展した状態を示す側面図である。
【図２】従来のブラインドの巻き取る過程の状態を示す側面図である。
【図３】本発明の一実施例による布製ブラインドの完全に伸展した状態を示す斜視図である。
【図４】本発明の一実施例による布製ブラインドの各ユニット間の位置関係を示す正面図である。
【図５】本発明の一実施例による布製ブラインドの完全に伸展した状態を示す側面図である。
【図６】本発明の一実施例による布製ブラインドの巻き取る過程の状態を示す側面図である。
【図７】本発明の一実施例による布製ブラインドのスラットが傾斜する状態を示す側面図である。
【図８】本発明の他の実施例による布製ブラインドの完全に伸展した状態を示す斜視図である。
【図９】本発明の他の実施例による布製ブラインドの掛け布を巻き取る過程の状態を示す局部側面図である。
【符号の説明】
【００２７】
１０  横フレーム、２０  上端巻取りドラム、２１  係止溝、３０  ボトムレール装置、３１  下端巻取りドラム、３１’  収束棒、３２  端部嵌合ユニット、４０  スラット、４０’  スラット、４１  支持棒、５０  調整機構、５１  制御軸、５２  連接コードセット、５３  調整棒、６０  掛け布、６０’  掛け布、７０  昇降機構、８０  逆戻り止め機構、８１  係止部、１００  布製ブラインド、１１１  収納空間、１１２  開口、
３２１  接合部、３２２  間隔保持部、５２１  前コード、５２２  後コード
【図１】
2005248672.tif 000003
【図２】
2005248672.tif 000004
【図３】
2005248672.tif 000005
【図４】
2005248672.tif 000006
【図５】
2005248672.tif 000007
【図６】
2005248672.tif 000008
【図７】
2005248672.tif 000009
【図８】
2005248672.tif 000010
【図９】
2005248672.tif 000011